(57)【要約】  【課題】受電側の携帯端末が複数の送電側の携帯端末から電力を融通してもらう際の作業性を向上させることが可能な技術を提供する。  【解決手段】携帯端末１−１は、電池残量が所定値未満に低下した場合、送電可否問合せを同報送信して、他の携帯端末１−２、１−４から送電可能通知を受信する。そして、送電可能通知の送信元を一つ選択し、この送信元に送電要求を送信する。それから、送電要求の送信先と非接触電力伝送を開始して電力を受電し電池を充電する。この処理を、送電可能通知で指定されている送電可能電力量の大きい順に送電可能通知の送信元を選択して繰り返す。一方、所定値以上の電池残量がある携帯端末１−２、１−４は、送電可否問合せを受信した場合、電池残量から所定値を減算して求めた送電可能電力量の指定を伴う送電可能通知を送電可否問合せの送信元に送信する。その後、送電要求を受信したならば、この送信元に非接触で電力を送電する。【選択図】図１
2013226022.tif 000002
【特許請求の範囲】
【請求項１】
他の携帯端末から非接触で電力を受電する携帯端末であって、
自携帯端末の電池残量を計測する電池残量計測手段と、
前記電池残量計測手段により計測された前記電池残量が所定電力量未満となったならば、近距離無線通信により送電可否問合せを同報送信して、近距離無線通信可能な範囲に存在する前記他の携帯端末から、送電可能電力量の指定を伴う送電可能通知を受信する送電可否問合せ手段と、
近距離無線通信により、前記送電可能通知の送信元に送電要求を送信する送電要求手段と、
前記送電要求手段により前記送電要求が送信された場合に、前記送電要求の送信先と非接触電力伝送を開始して、自携帯端末の電池残量が所定電力量以上となるまで、あるいは前記送電要求の送信先が送電を終了するまで、前記送電要求の送信先から電力を非接触で受電して、自携帯端末の電池を充電する受電手段と、を有し、
前記送電要求手段は、
自携帯端末の電池残量が所定電力量以上となるまで、あるいは、前記送電予約要求の送信先がすべて選択されるまで、前記送電可能通知の送信元を選択し、選択した前記送電可能通知の送信元に前記送電要求を送信する
ことを特徴とする携帯端末。
【請求項２】
請求項１に記載の携帯端末であって、
前記送電可能通知の送信元のなかから、自携帯端末の電池残量に前記送電可能通知で指定されている送電可能電力量の合計値を加算した値が所定値以上となるように、前記送電可能通知で指定されている送電可能電力量の大きい順に前記送電可能通知の送信元を少なくとも一つ選択し、選択した前記送電可否通知の送信元に前記送電予約要求を、近距離無線通信により送信する送電予約手段をさらに有し、
前記送電要求手段は、
自携帯端末の電池残量が所定電力量以上となるまで、あるいは、前記送電予約要求の送信先がすべて選択されるまで、前記送電可能通知で指定されている送電可能電力量の大きい順に、前記送電予約要求の送信先を選択し、選択した前記送電予約要求の送信先に前記送電要求を送信する
ことを特徴とする携帯端末。
【請求項３】
他の携帯端末に非接触で電力を送電する携帯端末であって、
自携帯端末の電池残量を計測する電池残量計測手段と、
近距離無線通信により前記他の携帯端末から送電可否問合せを受信した場合に、前記電池残量計測手段により計測された前記電池残量が所定電力量以上ならば、当該電池残量から当該所定電力量を差し引いた値を送電可能電力量とし、当該送電可能電力量の指定を伴う送電可能通知を、前記送電可否問合せの送信元に送信する送電可否問合せ応答手段と、
近距離無線通信により前記他の携帯端末から送電要求を受信する送電要求受付手段と、
前記送電要求受付手段により前記他の携帯端末から前記送電要求を受信した場合に、前記他の携帯端末と非接触電力伝送を開始して、自携帯端末の電池残量が所定電力量に低下するまで、あるいは前記他の携帯端末が受電を終了するまで、前記他の携帯端末に非接触で電力を送電する送電手段と、を有する
ことを特徴とする携帯端末。
【請求項４】
請求項３に記載の携帯端末であって、
前記他の携帯端末から前記送電予約要求を受信した場合に、所定時間を経過するまでの間、前記送電可否問合せ応答手段における新たに受信した前記送電可否問合せに対する前記送電可能通知の送信を規制する送電予約受付手段をさらに有する
ことを特徴とする携帯端末。
【請求項５】
請求項３または４に記載の携帯端末であって、
前記送電可否問合せ応答手段により前記送電可否問合せを受信した場合、任意に設定される時間の経過前に代表宣言を受信したならば、当該代表宣言の送信元を代表端末として認識するとともに、自携帯端末を代行依頼端末に設定し、当該時間の経過前に代表宣言を受信しなかったならば、自携帯端末を代表端末に設定して、近距離無線通信により前記代表宣言を同報送信する代表端末決定手段と、
前記代表決定手段により自携帯端末が前記代表端末に設定された場合に、前記代行依頼端末から電力を非接触で受電して自携帯端末の電池を充電する受電手段と、さらに有し、
前記送電可否問合せ応答手段は、
前記送電可否問合せを受信した場合に、前記代表決定手段により自携帯端末が前記代行依頼端末に設定されたならば、前記送電可能通知を前記代表端末である前記代表宣言の送信元に送信し、前記代表決定手段により自携帯端末が前記代表端末に設定されたならば、前記代行依頼端末から前記送電可能通知を受信するとともに、自携帯端末の前記送電可能電力量および前記代行依頼端末から受信した前記送電可能通知で指定されている前記送電可能電力量の合計値が前記送電可能電力量として指定された前記送電可能通知を、前記送電可否問合せの送信元に送信し、
前記送電要求受付手段は、
前記代表決定手段により自携帯端末が前記代行依頼端末に設定された場合、前記代表宣言の送信元である前記代表端末から前記送電要求を受信し、
前記送電手段は、
前記送電要求受付手段により前記送電要求を受信した場合、前記代表決定手段により自携帯端末が前記代行依頼端末に設定されているならば、前記代表宣言の送信元である前記代表端末と非接触電力伝送を開始して、前記代表端末に非接触で電力を送電し、
前記受電手段は、
前記代表決定手段により自携帯端末が前記代表端末に設定された場合に、前記送電要求手段により前記送電可能通知の送信元である前記代行依頼端末に対して前記送電要求が送信されたならば、当該代行依頼端末と非接触電力伝送を開始して、前記送電手段による送電が終了するまで、あるいは、当該代行依頼端末が送電を終了するまで、当該代行依頼端末から電力を非接触で受電して、自携帯端末の電池を充電し、
前記送電要求手段は、
前記代表決定手段により自携帯端末が前記代表端末に設定された場合に、前記送電手段による送電が終了するまで、あるいは、前記送電可能通知の送信元である前記代行依頼端末がすべて選択されるまで、前記代行依頼端末を選択し、当該選択した前記代行依頼端末に前記送電要求を送信する
ことを特徴とする携帯端末。
【請求項６】
非接触電力伝送機能を備えた携帯端末間における電力融通方法であって、
受電側の携帯端末は、
電池残量が所定電力量未満となった場合に、近距離無線通信により送電可否問合せを同報送信して、近距離無線通信可能な範囲に存在する他の携帯端末から送電可能電力量の指定を伴う送電可能通知を受信するとともに、
いずれかの前記送電可能通知の送信元に送電要求を送信して、当該送電可能通知の送信元と非接触電力伝送を開始し、自携帯端末の電池残量が所定電力量以上となるまで、あるいは当該送電可能通知の送信元が送電を終了するまで、当該送電可能通知の送信元から非接触で電力を受電する処理を、前記送電可能通知の送信元のなかから、前記送電可能通知で指定されている送電可能電力量の大きい方から順に前記送電要求の送信先を選択して、自携帯端末の電池残量が所定電力量以上となるまで、あるいは、すべての前記送電可能通知の送信元が選択されるまで繰り返し、
送電側の携帯端末は、
近距離無線通信により送電可否問合せを受信した場合に、自携帯端末の電池残量が所定電力量以上であるならば、自携帯端末の電池残量から所定電力量を除いた残余部分を送電可能電力量とし、当該送電可能電力量の指定を伴う送電可能通知を前記送電可否問合せの送信元に送信し、前記送電可否問合せの送信元から送電要求を受信したならば、前記送電可否問合せの送信元と非接触電力伝送を開始し、自携帯端末の電池残量が所定電力量に低下するまで、あるいは前記送電可否問合せの送信元が受電を終了するまで、前記送電可否問合せの送信元に非接触で電力を送電する
ことを特徴とする携帯端末間における電力融通方法。
【発明の詳細な説明】
【技術分野】
【０００１】
本発明は、携帯端末に関し、特に携帯端末間における電力融通技術に関する。
【背景技術】
【０００２】
特許文献１には、電力低下に伴う機能低下を防止しながら、携帯端末間において電力を融通することを可能とする電力受渡システムが開示されている。この電力受渡システムにおいて、送電側の携帯端末は、ユーザの使用履歴に基づいて自携帯端末の必要電力量を算出し、電池残量がこの必要電力量を下回らない範囲で、受電側の携帯端末に電力を非接触で送電する。一方、受電側の携帯端末は、ユーザの使用履歴に基づいて自携帯端末の必要電力量を算出し、電池残量がこの必要電力量に達するまで充電されたならば、充電を終了して、送電側の携帯端末から電力を過剰に受電するのを防止する。
【先行技術文献】
【特許文献】
【０００３】
【特許文献１】特開２０１０−２３７９３１号公報
【発明の概要】
【発明が解決しようとする課題】
【０００４】
しかしながら、特許文献１に記載の電力受渡システムでは、送電側の携帯端末の電池残量が必要電力量に満たないか、あるいは必要電力量以上であっても、電池残量からこの必要電力量を除いた残余部分が受電側の携帯端末の必要電力量に満たない場合、送電側の携帯端末は、受電側の携帯端末に全くあるいは十分な電力を送電できない。この場合、受電側の携帯端末のユーザは、送電側の携帯端末となり得る他の携帯端末を見つけて、再度、電力受渡のために必要な操作をしなければならず、煩雑である。特に、送電側の携帯端末となり得る他の携帯端末が近くに複数ある場合、受電側の携帯端末のユーザは、どの携帯端末から受電するのが効率的なのか分からないため、結果として、電力受渡のための操作を何度も繰り返さなければならない可能性がある。
【０００５】
本発明は上記事情に鑑みてなされたものであり、その目的は、受電側の携帯端末が複数の送電側の携帯端末から電力を融通してもらう際の作業性を向上させることが可能な技術を提供することにある。
【課題を解決するための手段】
【０００６】
上記課題を解決するために、本発明において、携帯端末は、電池残量が所定電力量未満となったならば、近距離無線通信により送電可否問合せを同報送信して、近距離無線通信可能な範囲に存在する携帯端末から送電可能電力量の指定を伴う送電可能通知を受信する。そして、送電可能通知の送信元を一つ選択し、近距離無線通信により、選択した送電可能通知の送信元に送電要求を送信する。それから、携帯端末は、送電要求の送信先との非接触電力伝送を開始し、自携帯端末の電池残量が所定電力量以上となるまで、あるいは送電要求の送信先が送電を終了するまで、送電要求の送信先から非接触で電力を受電する。この処理を、送電可能通知の送信元のなかから、送電可能通知で指定されている送電可能電力量の大きい方から順に送電要求の送信先を選択しながら、自携帯端末の電池残量が所定電力量以上となるまで、あるいは、すべての送電可能通知の送信元が選択されるまで繰り返す。
【０００７】
また、携帯端末は、近距離無線通信により送電可否問合せを受信したならば、電池残量が所定電力量以上であるか否かを調べる。そして、所定電力量以上ならば、電池残量から所定電力量を除いた残余部分を送電可能電力量とし、送電可能電力量の指定を伴う送電可能通知を送電可否問合せの送信元に送信する。その後、送電可否問合せの送信元から送電要求を受信したならば、送電要求の送信元と非接触電力伝送を開始し、自携帯端末の電池残量が所定電力量未満に低下するまで、あるいは送電要求の送信元が受電を終了するまで、送電要求の送信元に非接触で電力を送電する。
【０００８】
例えば、本発明は、他の携帯端末から非接触で電力を受電する携帯端末であって、
自携帯端末の電池残量を計測する電池残量計測手段と、
前記電池残量計測手段により計測された前記電池残量が所定電力量未満となったならば、近距離無線通信により送電可否問合せを同報送信して、近距離無線通信可能な範囲に存在する前記他の携帯端末から送電可能電力量の指定を伴う送電可能通知を受信する送電可否問合せ手段と、
近距離無線通信により、前記送電可能通知の送信元に送電要求を送信する送電要求手段と、
前記送電要求手段により前記送電要求が送信された場合に、前記送電要求の送信先と非接触電力伝送を開始して、自携帯端末の電池残量が所定電力量以上となるまで、あるいは前記送電要求の送信先が送電を終了するまで、前記送電要求の送信先から電力を非接触で受電して、自携帯端末の電池を充電する受電手段と、を有し、
前記送電要求手段は、
自携帯端末の電池残量が所定電力量以上となるまで、あるいは、前記送電可能通知の送信元がすべて選択されるまで、前記送電可能通知の送信元を選択し、選択した前記送電可能通知の送信元に送電要求を送信する。
【０００９】
また、本発明は、他の携帯端末に非接触で電力を送電する携帯端末であって、
自携帯端末の電池残量を計測する電池残量計測手段と、
近距離無線通信により前記他の携帯端末から送電可否問合せを受信した場合に、前記電池残量計測手段により計測された前記電池残量が所定電力量以上ならば、当該電池残量から当該所定電力量を差し引いた値を送電可能電力量とし、当該送電可能電力量の指定を伴う送電可能通知を、前記送電可否問合せの送信元に送信する送電可否問合せ応答手段と、
前記他の携帯端末から送電要求を受信する送電要求受付手段と、
前記送電要求受付手段により前記他の携帯端末から前記送電要求を受信した場合に、前記他の携帯端末と非接触電力伝送を開始して、自携帯端末の電池残量が所定電力量に低下するまで、あるいは前記他の携帯端末が受電を終了するまで、前記他の携帯端末に非接触で電力を送電する送電手段と、を有する。
【発明の効果】
【００１０】
本発明において、携帯端末は、送電可否問合せを同報送信して、他の携帯端末から送電可能電力量の指定を伴う送電可能通知を受信する。そして、送電可能通知の送信元から非接触で電力を受電する処理を、送電可能通知で指定されている送電可能電力量の大きい順に方から順に送電可能通知の送信元を送電元として選択しながら、自携帯端末の電池残量が所定電力量以上となるまで、あるいは、すべての送電可能通知の送信元から受電するまで繰り返す。このため、本発明によれば、受電側の携帯端末が複数の送電側の携帯端末から電力を融通してもらう際の作業性を向上させることが可能となる。
【図面の簡単な説明】
【００１１】
【図１】図１は、本発明の第一実施の形態に係る複数の携帯端末１間における電力融通動作を説明するためのシーケンス図である。
【図２】図２は、携帯端末１の概略機能構成図である。
【図３】図３は、送電可能端末記憶部１０６の登録内容例を模式的に表した図である。
【図４】図４は、予約先端末記憶部１０９の登録内容例を模式的に表した図である。
【図５】図５は、携帯端末１の受電動作を説明するためのフロー図である。
【図６】図６は、携帯端末１の送電動作を説明するためのフロー図である。
【図７】図７は、本発明の第二実施の形態に係る複数の携帯端末１Ａ間における電力融通動作を説明するためのシーケンス図である。
【図８】図８は、本発明の第二実施の形態に係る複数の携帯端末１Ａ間における電力融通動作を説明するためのシーケンス図（図７の続き）である。
【図９】図９は、携帯端末１Ａの概略機能構成図である。
【図１０】図１０は、携帯端末１Ａの送電動作を説明するためのフロー図である。
【図１１】図１１は、携帯端末１Ａの代行依頼端末処理（図１０のＳ４０６）を説明するためのフロー図である。
【図１２】図１２は、携帯端末１Ａの代表端末処理（図１０のＳ４０９）を説明するためのフロー図である。
【発明を実施するための形態】
【００１２】
以下に、本発明の実施の形態について説明する。
【００１３】
＜第一実施の形態＞
本実施の形態に係る携帯端末１−１〜１−４（以下、単に携帯端末１とも称する）は、非接触電力伝送機能を有しており、自携帯端末１の電池残量が所定値Ｂ１未満に低下した場合に、自携帯端末１の近傍に位置する他の少なくとも一台の携帯端末１から電力を非接触で受電して、自携帯端末１の電池を充電する。また、携帯端末１は、自携帯端末１の近傍に位置する他の携帯端末１からの送電要求に従い、自携帯端末１の電池残量から自携帯端末１に必要な電力量を差し引いた値（送電可能電力量）を上限として、この他の携帯端末１に電力を非接触で送電する。
【００１４】
図１は、本実施の形態に係る複数の携帯端末１間における電力融通動作を説明するためのシーケンス図である。
【００１５】
携帯端末１−１〜１−４は、逐次、自携帯端末１の電池残量を監視している。ここで、携帯端末１−１の電池残量が所定電力量Ｂ１（電話機能、電子メール機能等の所定の機能を維持しつつ所定時間（例えば３０分）稼働するのに必要な電力量に所定のマージンを加えた電力量）未満にまで低下すると、携帯端末１−１はこれを検知し（Ｓ１００）、ブルートゥース（登録商標）等の近距離無線通信を用いて送電可否問合せをブロードキャスト送信する（Ｓ１０１）。そして、所定時間Ｔ１（例えば３分）を経過するまで、他の携帯端末１から送電可能通知が送られてくるのを待つ。
【００１６】
携帯端末１−２〜１−４は、近距離無線通信により送電可否問合せを受信すると、自携帯端末１の電池残量が所定電力量Ｂ２（電話機能、電子メール機能等の所定の機能を維持しつつ所定時間（例えば３時間）稼働するのに必要な電力量に所定のマージンを加えた電力量）以上あるか否かを確認する（Ｓ１０２〜Ｓ１０４）。ここでは、携帯端末１−２、１−４の電池残量は所定電力量Ｂ２以上あり、携帯端末１−３の電池残量は所定電力量Ｂ２未満であるとする。
【００１７】
携帯端末１−２、１−４は、自携帯端末１の電池残量が所定電力量Ｂ２以上あることを確認すると、自携帯端末１の電池残量から所定電力量Ｂ２を差し引いた値を、送電可能電力量として算出する（Ｓ１０５、Ｓ１０６）。そして、算出した送電可能電力量の指定を伴う送電可能通知を生成し、送電可否問合せの送信元である携帯端末１−１に、この送電可能通知を近距離無線通信により送信する（Ｓ１０７、Ｓ１０８）。
【００１８】
つぎに、携帯端末１−１は、送電可否問合せの送信後、所定時間Ｔ１を経過したならば、それまでに受信した送電可能通知の送信元のなかから、送電を依頼する電力予約先を決定する（Ｓ１０９）。具体的には、送電可能通知で指定されている送電可能電力量の大きい順に、この送電可能電力量の合計値に自携帯端末１の電池残量を加算した値が所定電力量Ｂ３（電話機能、電子メール機能等の所定の機能を維持しつつ所定時間（例えば２時間）稼働するのに必要な電力量に所定のマージンを加えた電力量）以上となるまで、もしくは送電可能通知の送信元がすべて選択されるまで、送電可能通知の送信元を選択し、選択した送電可能通知の送信元を電力予約先に決定する。ここでは、携帯端末１−２、１−４の順に、両方とも電力予約先に決定されたものとする。携帯端末１−１は、電力予約先に決定された携帯端末１−２、１−４のそれぞれに、近距離無線通信を用いて送電予約要求を送信する（Ｓ１１０、Ｓ１１１）。
【００１９】
携帯端末１−２、１−４は、送電可能通知の送信先である携帯端末１−１から送電予約要求を受信すると、携帯端末１−１に対する送電の予約を受け付ける（Ｓ１１２、Ｓ１１３）。そして、所定時間Ｔ２（例えば１時間）を経過するまでの間、他の携帯端末１からの送電可否問合せを無視し、送電可能通知を返信しないようにする。
【００２０】
つぎに、携帯端末１−１は、未選択の電力予約先のなかから、送電可能通知で指定されている送電可能電力量の大きい電力予約先を一つ選択する。ここでは、携帯端末１−２が選択されたものとする。携帯端末１−１は、近距離無線通信を用いて携帯端末１−２に送電要求を送信し（Ｓ１１４）、非接触電力伝送による受電機能を有効にして、携帯端末１−２から電力を非接触で受電できるように、携帯端末１−２に近づくなどの所定の準備を操作者に促すガイダンスを出力する。一方、携帯端末１−２は、携帯端末１−１から送電要求を受信すると、非接触電力伝送による送電機能を有効にして、携帯端末１−１に電力を非接触で送電できるように、携帯端末１−１に近づくなどの所定の準備を操作者に促すガイダンスを出力する。
【００２１】
その後、携帯端末１−２は、携帯端末１−１の非接触電力伝送範囲内に進入したことを検知すると（Ｓ１１５）、携帯端末１−１への非接触による送電を開始する（Ｓ１１７）。同様に、携帯端末１−１は、携帯端末１−２の非接触電力伝送範囲内に進入したことを検知すると（Ｓ１１６）、携帯端末１−２からの非接触による受電を開始する（Ｓ１１８）。以上により、携帯端末１−１の二次電池１０３の充電が開始される。
【００２２】
つぎに、携帯端末１−２の電池残量が所定電力量Ｂ２にまで低下すると、携帯端末１−２はこれを検知し（Ｓ１１９）、携帯端末１−１への非接触による送電を終了して、携帯端末１−１に送電終了通知を送信する（Ｓ１２０）。これを受けて、携帯端末１−１は、携帯端末１−２からの非接触による受電を終了する（Ｓ１２１）。
【００２３】
つぎに、携帯端末１−１は、未選択の電力予約先のなかから、送電可能通知で指定されている送電可能電力量の大きい電力予約先を一つ選択する。ここでは、携帯端末１−４が選択される。携帯端末１−１は、近距離無線通信を用いて携帯端末１−４に送電要求を送信する（Ｓ１２２）。また、携帯端末１−１は、携帯端末１−４から電力を非接触で受電できるように、携帯端末１−４に近づくなどの所定の準備を操作者に促すガイダンスを出力する。一方、携帯端末１−４は、携帯端末１−１から送電要求を受信すると、非接触電力伝送による送電機能を有効にして、携帯端末１−１に電力を非接触で送電できるように、携帯端末１−１に近づくなどの所定の準備を操作者に促すガイダンスを出力する。
【００２４】
その後、携帯端末１−４は、携帯端末１−１の非接触電力伝送範囲内に進入したことを検知すると（Ｓ１２３）、携帯端末１−１への非接触による送電を開始する（Ｓ１２５）。同様に、携帯端末１−１は、携帯端末１−４の非接触電力伝送範囲内に進入したことを検知すると（Ｓ１２４）、携帯端末１−４からの非接触による受電を開始する（Ｓ１２６）。以上により、携帯端末１−１の二次電池１０３の充電が開始される。
【００２５】
携帯端末１−１の電池残量が所定電力量Ｂ３にまで上昇すると、携帯端末１−１はこれを検知し（Ｓ１２７）、携帯端末１−４からの非接触による受電を終了して、携帯端末１−４に受電終了通知を送信する（Ｓ１２８）。これを受けて、携帯端末１−４は、携帯端末１−１への非接触による送電を終了する（Ｓ１２９）。
【００２６】
つぎに、携帯端末１の詳細を説明する。
【００２７】
図２は、携帯端末１の概略機能構成図である。
【００２８】
図示するように、携帯端末１は、携帯電話機能部１００と、マンマシンインターフェース部１０１と、近距離無線インターフェース部１０２と、二次電池１０３と、電池残量計測部１０４と、送電可否問合せ部１０５と、送電可能端末記憶部１０６と、送電可否問合せ応答部１０７と、送電予約部１０８と、予約先端末記憶部１０９と、送電予約受付部１１０と、予約元端末記憶部１１１と、送電要求部１１２と、送電要求受付部１１３と、非接触受電部１１４と、非接触送電部１１５と、充電制御部１１６と、を備えている。
【００２９】
携帯電話機能部１００は、携帯電話機としての本質的な機能に加え、電子メール、Ｗｅｂブラウザ等の付加的な機能を実現するための機能部であり、図示していないが、無線基地局あるいは無線アクセスポイントを介してＷＡＮに接続するための無線インターフェースを備えている。
【００３０】
マンマシンインターフェース部１０１は、操作者が、携帯電話、電子メール、Ｗｅｂブラウザを含む各種機能に対する操作を行うためのインターフェースであり、図示していないが、マイク・スピーカの入出力部、ダイヤルキー等の操作部、およびＬＣＤ、ＬＥＤ等の表示部を備えている。
【００３１】
近距離無線インターフェース部１０２は、ブルートゥース（登録商標）、無線ＬＡＮによるアドホック通信、Ｚｉｇｂｅｅ（登録商標）等の近距離無線通信を用いて、自携帯端末１の近傍に存在する他の携帯端末１と通信するためのインターフェースである。
【００３２】
二次電池１０３は、携帯端末１の各部に電力を供給するための電源として機能する。
【００３３】
電池残量計測部１０４は、逐次あるいは定期的に、二次電池１０３の電池残量を計測する。
【００３４】
送電可否問合せ部１０５は、電池残量計測部１０４により計測された電池残量が所定電力量Ｂ１未満となった場合に、近距離無線インターフェース部１０２を用いて送電可否問合せをブロードキャスト送信する。そして、近距離無線インターフェース部１０２を介して、自携帯端末１の近傍に位置する他の携帯端末１から送電可能通知を受信する。
【００３５】
送電可能端末記憶部１０６には、送電可否問合せ部１０５で受信した送電可能通知の送信元である携帯端末（送電可能端末）１の情報が記憶される。図３は、送電可能端末記憶部１０６の登録内容例を模式的に表した図である。図示するように、送電可能端末記憶部１０６には、送電可能端末１毎にレコード１０６０が記憶される。レコード１０６０は、送電可能端末１のアドレス情報を登録するフィールド１０６１と、送電可能通知で指定されているユーザ情報（電話番号、ユーザ名等）および送電可能電力量を登録するフィールド１０６２、１０６３と、を有する。
【００３６】
送電可否問合せ応答部１０７は、近距離無線インターフェース部１０２を介して他の携帯端末１から送電可否問合せを受信した場合に、後述の予約元端末記憶部１１１に、送電予約要求の送信元である携帯端末（予約元端末）１の情報が登録されていないならば、電池残量計測部１０４により計測された電池残量が所定電力量Ｂ２以上であるか否かを調べる。そして、電池残量が所定電力量Ｂ２以上であるならば、この電池残量から所定電力量Ｂ２を差し引いた値を送電可能電力量として算出し、この送電可能電力量と自携帯端末１のユーザ情報との指定を伴う送電可能通知を、近距離無線インターフェース部１０２を介して送電可否問合せの送信元に送信する。
【００３７】
送電予約部１０８は、送電可能端末記憶部１０６を参照し、送電可能端末１のなかから電力予約先を決定する。具体的には、フィールド１０６３に登録されている送電可能電力量の大きい順にレコード１０６０を順次選択しながら、電池残量計測部１０４により計測された電池残量に送電可能電力量を加算してゆき、その加算値が所定電力量Ｂ３以上となったら、もしくは送電可能端末記憶部１０６内のレコード１０６０がすべて選択されたら、それまでに選択したレコード１０６０により特定される送電可能端末１を電力予約先に決定する。そして、電力予約先に決定された各送電可能端末１に、自携帯端末１のユーザ情報の指定を伴う送電予約要求を、近距離無線インターフェース部１０２を介して送信する。
【００３８】
予約先端末記憶部１０９には、電力予約先である携帯端末（予約先端末）１の情報が記憶される。図４は、予約先端末記憶部１０９の登録内容例を模式的に表した図である。図示するように、予約先端末記憶部１０９には、予約先端末１毎にレコード１０９０が記憶される。レコード１０９０は、予約先端末１のアドレス情報を登録するフィールド１０９１と、予約先端末１のユーザ情報を登録するフィールド１０９２と、電力の予約順位を登録するフィールド１０９３と、を有する。ここで、電力の予約順位は、送電可能電力量の大きい順に設定される。
【００３９】
送電予約受付部１１０は、近距離無線インターフェース部１０２を介して予約元端末１から送電予約要求を受信した場合に、この送電予約要求の送信元である予約元端末１の情報を予約元端末記憶部１１１に記憶する。
【００４０】
予約元端末記憶部１１１には、送電予約受付部１１０で受信した送電予約要求の送信元である予約元端末１の情報（端末ＩＤ、ユーザ情報、アドレス情報等）が記憶される。
【００４１】
送電要求部１１２は、予約先端末記憶部１０９を参照し、予約順位に従って未選択の予約先端末１を一つ選択し、近距離無線インターフェース部１０２を介して、選択した予約先端末１に送電要求を送信するとともに、後述する充電制御部１１６に、この予約先端末１からの受電を指示する。また、この予約先端末１から電力を非接触で受電できるように、マンマシンインターフェース部１０１を介して、この予約先端末１のユーザ情報等を操作者に知らせて、この予約先端末１に近づくなどの所定の準備を促すガイダンスを出力する。送電要求部１１２は、以上の処理を、予約先端末記憶部１０９に記憶されている予約先端末１がすべて選択されるまで、あるいは電池残量計測部１０４で計測される電池残量が所定電力量Ｂ３以上に回復するまで繰り返す。
【００４２】
送電要求受付部１１３は、近距離無線インターフェース部１０２を介して他の携帯端末１から送電要求を受信した場合に、この送電要求の送信元への送電を、後述する充電制御部１１６に指示する。
【００４３】
非接触受電部１１４は、充電制御部１１６の指示に従い他の携帯端末１から電力を非接触で受電する。
【００４４】
非接触送電部１１５は、充電制御部１１６の指示に従い他の携帯端末１に二次電池１０３の電力を非接触で送電する。
【００４５】
充電制御部１１６は、送電要求部１１２の指示に従い、非接触受電部１１４を有効にして送電要求の送信先と非接触電力伝送を開始し、電池残量計測部１０４で計測される電池残量が所定電力量Ｂ３以上に回復するまで、あるいは送電要求の送信先が送電を終了するまで、送電要求の送信先から電力を非接触で受電して、二次電池１０３を充電する。
【００４６】
また、充電制御部１１６は、送電要求受付部１１３の指示に従い、非接触送電部１１５を有効にして送電要求の送信元と非接触電力伝送を開始し、電池残量計測部１０４で計測される電池残量が所定電力量Ｂ２に低下するまで、あるいは送電要求の送信元が受電を終了するまで、二次電池１０３に蓄えられている電力を送電要求の送信元に非接触で送電する。
【００４７】
図５は、携帯端末１の受電動作を説明するためのフロー図である。
【００４８】
このフローは、電池残量計測部１０４で計測された二次電池１０３の電池残量が所定電力値Ｂ１未満にまで低下したことを、送電可否問合せ部１０５が検知することにより開始される。
【００４９】
まず、送電可否問合せ部１０５は、送電可能端末記憶部１０６をリセットして登録内容を消去するとともに、近距離無線インターフェース部１０２を用いて送電可否問合せをブロードキャスト送信する（Ｓ２００）。そして、所定時間Ｔ１の経過によりタイムアウトするまでの間（Ｓ２０３）、近距離無線インターフェース部１０２を介して、自携帯端末１の近傍に位置する他の携帯端末１から送電可能通知が送られてくるのを待つ。ここで、送電可能通知を受信したならば（Ｓ２０１でＹＥＳ）、送電可能端末記憶部１０６に新たな送電可能端末１のレコード１０６０を追加して、このレコード１０６０に、送電可能端末１のアドレス情報と、送電可能通知で指定されているユーザ情報、および送電可能電力量を登録する（Ｓ２０２）。
【００５０】
図示していないが、いずれの携帯端末１からも送電可能通知を受信せずにタイムアウトしたならば、例えば、送電可能な携帯端末１が近くに存在しない旨のメッセージ等をマンマシンインターフェース部１０１から出力してから、フローを終了する。一方、少なくとも１つの携帯端末１から送電可能通知を受信してからタイムアウトしたならば（Ｓ２０３でＹＥＳ）、送電予約部１０８は、予約先端末記憶部１０９をリセットして登録内容を消去するとともに、送電可能端末記憶部１０６を参照し、送電可能端末１のなかから電力予約先を決定する。具体的には、フィールド１０６３に登録されている送電可能電力量の大きい順にレコード１０６０を順次選択しながら、電池残量計測部１０４により計測された電池残量に送電可能電力量を加算してゆき、その加算値が所定電力量Ｂ３以上となったら、もしくは送電可能端末記憶部１０６内のレコード１０６０がすべて選択されたら、これまでに選択したレコード１０６０により特定される携帯端末１を、電力予約先、つまり予約先端末１に決定する。そして、選択したレコード１０６０ごとに、予約先端末記憶部１０９に新たなレコード１０９０を追加し、この新たなレコード１０９０のフィールド１０９１〜１０９３に、選択したレコード１０６０のフィールド１０６１、１０６２のアドレス情報、ユーザ情報、および、レコード１０６０のフィールド１０６３の送電可能電力量の大きい順に割り当てた予約順位を登録する（Ｓ２０４）。
【００５１】
それから、送電予約部１０８は、予約先端末記憶部１０９を参照し、各レコード１０９０のフィールド１０９１に登録されているアドレス情報により特定される予約先端末１に、自携帯端末１のユーザ情報の指定を伴う送電予約要求を、近距離無線インターフェース部１０２を介して送信する（Ｓ２０５）。
【００５２】
つぎに、送電要求部１１２は、予約先端末記憶部１０９を参照し、各レコード１０９０のフィールド１０９３に登録されている予約順位に従って、未選択のレコード１０９０を一つ選択する（Ｓ２０６）。それから、近距離無線インターフェース部１０２を介して、選択したレコード１０９０のフィールド１０９１のアドレス情報により特定される予約先端末１に送電要求を送信するとともに、充電制御部１１６に、この予約先端末１からの受電を指示する（Ｓ２０７）。
【００５３】
また、送電要求部１１２は、選択したレコード１０９０のフィールド１０９２に登録されている予約先端末１のユーザ情報等を操作者に知らせ、自携帯端末１を、この予約先端末１に近づかせるなど、この予約先端末１から電力を非接触で受電するための所定の準備を促すガイダンスをマンマシンインターフェース部１０１から出力する（Ｓ２０８）。
【００５４】
つぎに、充電制御部１１６は、非接触受電部１１４を有効にして、自携帯端末１が、送電要求の送信先の予約先端末１の非接触電力伝送範囲内にいることを含む所定の受電開始条件を満足するのを待つ（Ｓ２０９）。そして、受電開始条件を満足したならば（Ｓ２０９でＹＥＳ）、送電要求の送信先の予約先端末１から電力を非接触で受電して、二次電池１０３の充電を開始する（Ｓ２１０）。
【００５５】
さて、充電制御部１１６は、電池残量計測部１０４で計測される電池残量が所定電力量Ｂ３以上にまで回復したことを検知すると（Ｓ２１１でＹＥＳ）、非接触受電部１１４を無効にして、二次電池１０３の充電を終了し（Ｓ２１２）、送電要求部１１２に受電終了を通知する。これを受けて、送電要求部１１２は、近距離無線インターフェース部１０２を介して送電要求の送信先の予約先端末１に受電終了通知を送信する（Ｓ２１３）。
【００５６】
また、送電要求部１１２は、電池残量計測部１０４で計測される電池残量が所定電力量Ｂ３に回復する前（Ｓ２１１でＮＯ）に、近距離無線インターフェース部１０２を介して送電要求の送信先の予約先端末１から送電終了通知を受信すると（Ｓ２１４でＹＥＳ）、その旨を充電制御部１１６に通知する。これを受けて、充電制御部１１６は、送電要求の送信先の予約先端末１からの受電を終了する。また、送電要求部１１２は、予約先端末記憶部１０９を参照し、未選択のレコード１０９０、つまり、送電要求を送信していない予約先端末１が存在するか否かを判断する（Ｓ２１５）。予約先端末記憶部１０９に未選択のレコード１０９０が存在するならば（Ｓ２１５でＹＥＳ）、Ｓ２０６に戻る。一方、予約先端末記憶部１０９に未選択のレコード１０９０が存在しないならば（Ｓ２１５でＮＯ）、その旨を充電制御部１１６に通知する。これを受けて、充電制御部１１６は、非接触受電部１１４を無効にして、二次電池１０３の充電を終了する（Ｓ２１６）。
【００５７】
図６は、携帯端末１の送電動作を説明するためのフロー図である。
【００５８】
このフローは、送電可否問合せ応答部１０７が近距離無線インターフェース部１０２を介して他の携帯端末１から送電可否問合せを受信することにより開始される。
【００５９】
まず、送電可否問合せ応答部１０７は、予約元端末記憶部１１１を参照し、予約元端末１の情報が既に登録されているか否かを判断する（Ｓ２２０）。予約元端末１の情報が既に登録されているならば（Ｓ２２０でＹＥＳ）、送電可否問合せに応答することなくこのフローを終了する。
【００６０】
一方、予約元端末１の情報が登録されていない場合（Ｓ２２０でＮＯ）、送電可否問合せ応答部１０７は、電池残量計測部１０４により計測された電池残量が所定電力量Ｂ２以上であるか否かをさらに調べる（Ｓ２２１）。そして、電池残量が所定電力量Ｂ２以上でないならば（Ｓ２２１でＮＯ）、送電可否問合せに応答することなくこのフローを終了する。
【００６１】
一方、電池残量が所定電力量Ｂ２以上である場合（Ｓ２２１でＹＥＳ）、送電可否問合せ応答部１０７は、この電池残量から所定電力量Ｂ２を差し引いた値を送電可能電力量として算出する（Ｓ２２２）。それから、送電可否問合せ応答部１０７は、自携帯端末１のユーザ情報および送電可能電力量の指定を伴う送電可能通知を、近距離無線インターフェース部１０２を介して送電可否問合せの送信元に送信する（Ｓ２２３）。なお、送電可能電力量が所定値よりも小さい場合、つまり、送電可否問合せの送信元に提供できる電力量がわずかな場合には、送電可否問合せの送信元に送電可能通知を返信せずに、このフローを終了するようにしてもよい。
【００６２】
つぎに、送電予約受付部１１０は、送電可能通知の送信後、所定時間Ｔ３（例えば１分）内に送電予約要求を受信しなければ（Ｓ２２４でＮＯ）、このフローを終了する。一方、送電可能通知の送信後、所定時間Ｔ３内に送電予約要求を受信したならば（Ｓ２２４でＹＥＳ）、送電予約要求の送信元の携帯端末１のアドレス情報およびこの送電予約要求で指定されているユーザ情報を含む情報を、予約元端末１の情報として予約元端末記憶部１１１に登録する（Ｓ２２５）。
【００６３】
つぎに、送電要求受付部１１３は、近距離無線インターフェース部１０２を介して予約元端末１から送電要求を受信することなく（Ｓ２２６でＮＯ）、所定時間Ｔ２の経過によりタイムアウトしたならば（Ｓ２２７でＹＥＳ）、予約元端末記憶部１１１をリセットして登録内容を消去し（Ｓ２２８）、このフローを終了する。
【００６４】
一方、送電要求受付部１１３は、所定時間Ｔ２の経過によりタイムアウトする前に（Ｓ２２７でＮＯ）、近距離無線インターフェース部１０２を介して予約元端末１から送電要求を受信したならば（Ｓ２２６でＹＥＳ）、予約元端末１への送電を充電制御部１１６に指示するとともに、予約元端末記憶部１１１に記憶されている予約元端末１のユーザ情報等を操作者に知らせ、自携帯端末１をこの予約元端末１に近づかせるなど、この予約元端末１へ電力を非接触で送電するための所定の準備を促すガイダンスをマンマシンインターフェース部１０１から出力する（Ｓ２２９）。
【００６５】
つぎに、充電制御部１１６は、非接触送電部１１５を有効にして、自携帯端末１が、送電要求の送信元である予約元端末１の非接触電力伝送範囲内にいることを含む所定の送電開始条件を満足するのを待つ（Ｓ２３０）。そして、送電開始条件を満足したならば（Ｓ２３０でＹＥＳ）、二次電池１０３に蓄えられている電力を、非接触送電部１１５を介して予約元端末１へ非接触で送電する（Ｓ２３１）。
【００６６】
さて、充電制御部１１６は、電池残量計測部１０４で計測される電池残量が所定電力量Ｂ２にまで低下したことを検知すると（Ｓ２３２でＮＯ）、非接触送電部１１５を無効にして、非接触による送電を終了し（Ｓ２３３）、送電要求受付部１１３に送電終了を通知する。これを受けて、送電要求受付部１１３は、近距離無線インターフェース部１０２を介して予約元端末１に送電終了通知を送信するとともに（Ｓ２３４）、予約元端末記憶部１１１をリセットして登録内容を消去する（Ｓ２３７）。
【００６７】
また、送電要求受付部１１３は、電池残量計測部１０４で計測される電池残量が所定電力量Ｂ２に低下する前（Ｓ２３２でＹＥＳ）に、近距離無線インターフェース部１０２を介して予約元端末１から受電終了通知を受信すると（Ｓ２３５でＹＥＳ）、その旨を充電制御部１１６に通知する。これを受けて、充電制御部１１６は、非接触送電部１１５を無効にして、非接触による送電を終了する（Ｓ２３６）。また、送電要求受付部１１３は、予約元端末記憶部１１１をリセットして登録内容を消去する（Ｓ２３７）。
【００６８】
以上、本発明の第一実施の形態を説明した。
【００６９】
本実施の形態に係る携帯端末１は、自携帯端末１の電池残量が所定電力量Ｂ１未満にまで低下した場合に、近距離無線通信により送電可否問合せをブロードキャスト送信して、近傍に存在する他の携帯端末１から送電可能通知を受信する。そして、送電可能通知の送信元を一つ選択し、選択した送電可能通知の送信元に送電要求を送信する。それから、携帯端末１は、送電要求の送信先と非接触電力伝送を開始し、自携帯端末１の電池残量が所定電力量Ｂ３以上となるまで、あるいは送電要求の送信先が送電を終了するまで、送電要求の送信先から非接触で電力を受電する。この処理を、送電可能通知で指定されている送電可能電力量の大きい順に、自携帯端末１の電池残量が所定電力量Ｂ３以上となるまで、あるいは、すべての送電可能通知の送信元が選択されるまで繰り返す。
【００７０】
また、携帯端末１は、近距離無線通信により送電可否問合せを受信したならば、自携帯端末１の電池残量が所定電力量Ｂ２以上であるか否かを調べる。そして、所定電力量Ｂ２以上ならば、電池残量から所定電力量Ｂ２を除いた残余部分を送電可能電力量とし、この送電可能電力量の指定を伴う送電可能通知を送電可否問合せの送信元に送信する。その後、送電可否問合せの送信元から送電要求を受信したならば、送電要求の送信元と非接触電力伝送を開始し、自携帯端末１の電池残量が所定電力量Ｂ２に低下するまで、あるいは送電要求の送信元が受電を終了するまで、送電要求の送信元に非接触で電力を送電する。
【００７１】
このように、本実施の形態に係る携帯端末１は、送電可否問合せをブロードキャスト送信して、他の携帯端末１から送電可能電力量の指定を伴う送電可能通知を受信する。そして、送電可能通知の送信元から非接触で電力を受電する処理を、送電可能通知で指定されている送電可能電力量の大きい順に、自携帯端末１の電池残量が所定電力量Ｂ３以上となるまで、あるいは、すべての送電可能通知の送信元から受電するまで自動的に繰り返す。このため、受電側の携帯端末１のユーザには、送電側の携帯端末１となり得る他の携帯端末１を、自携帯端末１の必要電力に応じた台数探す手間がかからず、受電側の携帯端末１が複数の送電側の携帯端末１から電力を融通してもらう際の作業性が向上する。
【００７２】
また、本実施の形態に係る携帯端末１は、送電可能通知で指定されている送電可能電力量の合計値を電池残量に加えた値が所定電力量Ｂ３に達するまで、送電可能通知の送信元のなかから、送電可能通知で指定されている送電可能電力量の大きい順に少なくとも一台の電力予約先を決定し、決定した電力予約先に送電予約要求を送信する。そして、送電可能電力量の大きい順に電力予約先を選択し、選択した電力予約先に送電要求を送信する。また、携帯端末１は、他の携帯端末１から送電予約要求を受信した場合に、所定時間Ｔ２を経過するまでの間、新たに受信した送電可否問合せに対する送電可能通知の送信を規制する。
【００７３】
このように、本実施の形態に係る携帯端末１によれば、自携帯端末１の近傍に存在する複数の他の携帯端末１のうち、送電可能電力量がより大きい携帯端末１に対して送電予約を入れることにより、これらの電力に余裕ある携帯端末１の電力を優先的に受電することが可能となり、受電側の携帯端末１のユーザは、必要最小限の受電回数で必要電力をまかなうことが可能となるので、受電側の携帯端末１が複数の送電側の携帯端末１から電力を融通してもらう際の作業性がさらに向上する。
【００７４】
＜第二実施の形態＞
本実施の形態に係る携帯端末１Ａ−１〜１Ａ−４（以下、単に携帯端末１Ａとも称する）も、非接触電力伝送機能を有しており、自携帯端末１Ａの電池残量が所定値Ｂ１未満に低下した場合に、自携帯端末１Ａの近傍に位置する他の携帯端末１Ａから電力を非接触で受電して、自携帯端末１Ａの電池を充電する点、および、自携帯端末１Ａの近傍に位置する他の携帯端末１Ａからの送電要求に従い、送電可能電力量を上限として、この他の携帯端末１Ａに電力を非接触で送電する点において、上記第一実施の形態に係る携帯端末１と同様である。
【００７５】
しかし、本実施の形態に係る携帯端末１Ａは、自携帯端末１Ａの近傍に位置する他の携帯端末１Ａから送電可否問合せを受信した場合に、自携帯端末１Ａを含むこの送電可否問合せを送信した複数の携帯端末１Ａ間で代表端末１Ａを決定する、そして、代表端末１Ａが、送電可否問合せを送信した携帯端末１Ａへの送電を代行する。この点において、上記第一実施の形態に係る携帯端末１と異なる。
【００７６】
図７および図８は、本実施の形態に係る複数の携帯端末１Ａ間における電力融通動作を説明するためのシーケンス図である。
【００７７】
携帯端末１Ａ−１〜１Ａ−４は、逐次、自携帯端末１Ａの電池残量を監視している。ここで、携帯端末１Ａ−１の電池残量が所定電力量Ｂ１（電話機能、電子メール機能等の所定の機能を維持しつつ所定時間（例えば３０分）稼働するのに必要な電力量に所定のマージンを加えた電力量）未満にまで低下すると、携帯端末１Ａ−１はこれを検知し（Ｓ３００）、ブルートゥース（登録商標）等の近距離無線通信を用いて送電可否問合せをブロードキャスト送信する（Ｓ３０１）。そして、所定時間Ｔ１（例えば３分）を経過するまで、他の携帯端末１Ａから送電可能通知が送られてくるのを待つ。
【００７８】
携帯端末１Ａ−２〜１Ａ−４は、近距離無線通信により送電可否問合せを受信すると、自携帯端末１の電池残量が所定電力量Ｂ２（電話機能、電子メール機能等の所定の機能を維持しつつ所定時間（例えば３時間）稼働するのに必要な電力量に所定のマージンを加えた電力量）以上あるか否かを確認する（Ｓ３０２〜Ｓ３０４）。ここでは、すべての携帯端末１Ａ−２〜１Ａ−４の電池残量が所定電力量Ｂ２以上あるとする。
【００７９】
携帯端末１Ａ−２〜１Ａ−４は、自携帯端末１Ａの電池残量が所定電力量Ｂ２以上あることを確認すると、乱数タイマを起動する（Ｓ３０５〜Ｓ３０７）。そして、乱数に基づいて待ち時間を設定し、この待ち時間の経過により乱数タイマがタイムアウトするのを待つ。ここで、携帯端末１Ａ−２の乱数タイマが最初にタイムアウトしたものとする（Ｓ３０８）。これを受けて、携帯端末１Ａ−２は、自携帯端末１Ａ−２が代表端末１Ａ−２になった旨を他の携帯端末１Ａに知らせるための代表宣言を、近距離無線通信によりブロードキャスト送信する（Ｓ３０９）。そして、携帯端末１Ａ−３、１Ａ−４は、自携帯端末１Ａの乱数タイマがタイムアウトする前に、携帯端末１Ａ−２から代表宣言を受信して、携帯端末１Ａ−２が代表端末１Ａ−２となったことを認識し、自携帯端末１Ａを代行依頼端末１Ａに設定する（Ｓ３１０、Ｓ３１１）。
【００８０】
なお、本実施の形態では、乱数タイマが最初にタイムアウトした携帯端末１Ａを代表端末にしているが、本発明はこれに限定されない。例えば、携帯端末１Ａが他の携帯端末１Ａから送信される送電可否問合せの電波強度を監視し、送信可否問合せを受信した携帯端末１Ａ間でこの送電可否問合せの電波強度を例えば同報送信により通知し合い、この電波強度の最も高い携帯端末１Ａが代表端末となるようにしてもよい。
【００８１】
つぎに、代表端末１Ａ−２および代行依頼端末１Ａ−３、１Ａ−４は、自携帯端末１Ａの電池残量から所定電力量Ｂ２を差し引いた値を送電可能電力量として算出する（Ｓ３１２〜Ｓ３１４）。そして、代行依頼端末１Ａ−３、１Ａ−４は、算出した送電可能電力量の指定を伴う送電可能通知を生成し、代表端末１Ａ−２に、この送電可能通知を近距離無線通信により送信する（Ｓ３１５、Ｓ３１６）。
【００８２】
つぎに、代表端末１Ａ−２は、代表宣言の送信後、所定時間Ｔ４（例えば２分）を経過したならば、それまでに受信した送電可能通知の送信元の携帯端末１Ａ−３、１Ａ−４を代行依頼端末１Ａ−３、１Ａ−４と認識するともに、これらの送電可能通知で指定されている送電可能電力量と、自携帯端末１Ａ−２の送電可能電力量とを合計して、携帯端末１Ａ−２〜１Ａ−４の送電可能電力量を統合する（Ｓ３１７）。それから、代表端末１Ａ−２は、送電可能電力量としてこの統合値の指定を伴う送電可能通知を生成し、送電可否問合せの送信元である携帯端末１Ａ−１に、この送電可能通知を近距離無線通信により送信する（Ｓ３１８）。
【００８３】
つぎに、携帯端末１Ａ−１は、送電可否問合せの送信後、所定時間Ｔ１を経過したならば、それまでに受信した送電可能通知の送信元のなかから、送電を依頼する電力予約先を決定する（Ｓ３１９）。具体的には、送電可能通知で指定されている送電可能電力量の大きい順に、この送電可能電力量の合計値に自携帯端末１Ａ−１の電池残量を加算した値が所定電力量Ｂ３（電話機能、電子メール機能等の所定の機能を維持しつつ所定時間（例えば２時間）稼働するのに必要な電力量に所定のマージンを加えた電力量）以上となるまで、もしくは送電可能通知の送信元がすべて選択されるまで、送電可能通知の送信元を選択し、選択した送電可能通知の送信元を電力予約先に決定する。ここでは、代表端末１Ａ−２のみが携帯端末１Ａ−１に送電可能通知を送信しているため、代表端末１Ａ−２のみが電力予約先に決定される。携帯端末１Ａ−１は、電力予約先に決定された代表端末１Ａ−２に、近距離無線通信を用いて送電予約要求を送信する（Ｓ３２０）。
【００８４】
代表端末１Ａ−２は、送電可能通知の送信先である携帯端末１Ａ−１から送電予約要求を受信すると、携帯端末１Ａ−１に対する送電の予約を受け付け、携帯端末１Ａ−１を予約元端末１−１Ａとして登録する（Ｓ３２１）。そして、所定時間Ｔ２（例えば１時間）を経過するまでの間、他の携帯端末１Ａからの送電可否問合せを無視し、送電可能通知を返信しないようにする。また、代表端末１Ａ−２は、代行依頼端末１Ａ−３、１Ａ−４を電力予約先に決定し（Ｓ３２２）、電力予約先に決定された代行依頼端末１Ａ−３、１Ａ−４に、近距離無線通信を用いて送電予約要求を送信する（Ｓ３２３、Ｓ３２４）。
【００８５】
代行依頼端末１Ａ−３、１Ａ−４は、代表端末１Ａ−２から送電予約要求を受信すると、代表端末１Ａ−２に対する送電の予約を受け付ける（Ｓ３２５、Ｓ３２６）。そして、所定時間Ｔ２を経過するまでの間、他の携帯端末１Ａからの送電可否問合せを無視し、送電可能通知を返信しないようにする。
【００８６】
つぎに、予約元端末１Ａ−１は、唯一の電力予約先である代表端末１Ａ−２に送電要求を近距離無線通信により送信し（Ｓ３２７）、非接触電力伝送による受電機能を有効にして、代表端末１Ａ−２から電力を非接触で受電できるように、代表端末１Ａ−２に近づくなどの所定の準備を促すガイダンスを出力する。一方、代表端末１Ａ−２は、予約元端末１Ａ−１から送電要求を受信すると、非接触電力伝送による送電機能を有効にして、予約元端末１Ａ−１に電力を非接触で送電できるように、予約元端末１Ａ−１に近づくなどの所定の準備を促すガイダンスを出力する。
【００８７】
その後、代表端末１Ａ−２は、予約元端末１Ａ−１の非接触電力伝送範囲内に進入したことを検知すると（Ｓ３２８）、予約元端末１Ａ−１への非接触による送電を開始する（Ｓ３３０）。同様に、予約元端末１Ａ−１は、代表端末１Ａ−２の非接触電力伝送範囲内に進入したことを検知すると（Ｓ３２９）、代表端末１Ａ−２からの非接触による受電を開始する（Ｓ３３１）。以上により、予約元端末１Ａ−１の二次電池１０３の充電が開始される。
【００８８】
つぎに、代表端末１Ａ−２は、未選択の電力予約先（代行依頼端末）１Ａ−３、１Ａ−４のなかから、送電可能通知で指定されている送電可能電力量の大きい電力予約先を一つ選択する。ここでは、一方の代行依頼端末１Ａ−３が選択されたものとする。代表端末１Ａ−２は、近距離無線通信を用いて代行依頼端末１Ａ−３に、予約元端末１Ａ−１への送電に使用しているチャネル以外のチャネルの指定を伴う送電要求を送信し（Ｓ３３２）、この指定チャネルによる非接触電力伝送による受電機能を有効にする。一方、電力予約先として選択された代行依頼端末１Ａ−３は、代表端末Ａ−２から送電要求を受信すると、この送電要求で指定されているチャネルを用いた非接触電力伝送による送電機能を有効にし、代表端末１Ａ−２に電力を非接触で送電できるように、代表端末１Ａ−２に近づくなどの所定の準備を促すガイダンスを出力する。
【００８９】
その後、代行依頼端末１Ａ−３は、代表端末１Ａ−２の非接触電力伝送範囲内に進入したことを検知すると（Ｓ３３３）、代表端末１Ａ−２から受信した送電要求で指定されているチャネルを用いて、代表端末１Ａ−２への非接触による送電を開始する（Ｓ３３５）。同様に、代表端末１Ａ−２は、代行依頼端末１Ａ−３の非接触電力伝送範囲内に進入したことを検知すると（Ｓ３３４）、代行依頼端末１Ａ−３に送信した送電要求で指定されているチャネルを用いて、代行依頼端末１Ａ−３からの非接触による受電を開始する（Ｓ３３６）。以上により、代表端末１Ａ−２は、予約元端末１Ａ−１へ送電しつつも、代行依頼端末１Ａ−３から受電した電力により二次電池１０３を充電する。
【００９０】
つぎに、代行依頼端末１Ａ−３の電池残量が所定電力量Ｂ２にまで低下すると、代行依頼端末１Ａ−３はこれを検知し（Ｓ３３７）、代表端末１Ａ−２への非接触による送電を終了して、代表端末１Ａ−２に送電終了通知を送信する（Ｓ３３８）。これを受けて、代表端末１Ａ−２は、代行依頼端末１Ａ−３からの非接触による受電を終了する（Ｓ３３９）。
【００９１】
つぎに、代表端末１Ａ−２は、未選択の電力予約先（代行依頼端末）１Ａ−４のなかから、送電可能通知で指定されている送電可能電力量の大きい電力予約先を一つ選択する。ここでは、残りの代行依頼端末１Ａ−４が選択される。代表端末１Ａ−２は、近距離無線通信を用いて代行依頼端末１Ａ−４に、予約元端末１Ａ−１への送電に使用しているチャネル以外のチャネルの指定を伴う送電要求を送信し（Ｓ３４０）、この指定チャネルによる非接触電力伝送による受電機能を有効にする。一方、電力予約先として新たに選択された代行依頼端末１Ａ−４は、代表端末１Ａ−２から送電要求を受信すると、この送電要求で指定されているチャネルを用いた非接触電力伝送による送電機能を有効にして、代表端末１Ａ−２に電力を非接触で送電できるように、代表端末１Ａ−２に近づくなどの所定の準備を促すガイダンスを出力する。
【００９２】
その後、代行依頼端末１Ａ−４は、代表端末１Ａ−２の非接触電力伝送範囲内に進入したことを検知すると（Ｓ３４１）、代表端末１Ａ−２から受信した送電要求で指定されているチャネルを用いて、代表端末１Ａ−２への非接触による送電を開始する（Ｓ３４３）。同様に、代表端末１Ａ−２は、代行依頼端末１Ａ−４の非接触電力伝送範囲内に進入したことを検知すると（Ｓ３４２）、代行依頼端末１Ａ−４に送信した送電要求で指定されているチャネルを用いて、代行依頼端末１Ａ−４からの非接触による受電を開始する（Ｓ３４４）。以上により、代表端末１Ａ−２は、予約元端末１Ａ−１へ送電しつつも、代行依頼端末１Ａ−４から受電した電力により二次電池１０３を充電する。
【００９３】
つぎに、予約元端末１Ａ−１の電池残量が所定電力量Ｂ３にまで回復すると、予約元端末１Ａ−１はこれを検知し（Ｓ３４５）、代表端末１Ａ−２からの非接触による受電を終了して、代表端末１Ａ−２に受電終了通知を送信する（Ｓ３４６）。これを受けて、代表端末１Ａ−２は、予約元端末１Ａ−１への非接触による送電を終了する（Ｓ３４７）。
【００９４】
また、代表端末１Ａ−２は、代行依頼端末１Ａ−４からの非接触による受電を終了して、代行依頼端末１Ａ−４に受電終了通知を送信する（Ｓ３４８）。これを受けて、代行依頼端末１Ａ−４は、代表端末１Ａ−２への非接触による送電を終了する（Ｓ３４９）。
【００９５】
つぎに、携帯端末１Ａの詳細を説明する。
【００９６】
図９は、携帯端末１Ａの概略機能構成図である。なお、本実施の形態に係る携帯端末１Ａにおいて、図２に示す第一実施の形態に係る携帯端末１と同じ機能を有するものには、同じ符号を付している。
【００９７】
図示するように、本実施の形態に係る携帯端末１Ａが、図２に示す第一実施の形態に係る携帯端末１と異なる点は、送電可否問合せ応答部１０７、送電予約部１０８、送電予約受付部１１０、送電要求部１１２、送電要求受付部１１３、非接触受電部１１４、および非接触送電部１１５に代えて、送電可否問合せ応答部１０７ａ、送電予約部１０８ａ、送電予約受付部１１０ａ、送電要求部１１２ａ、送電要求受付部１１３ａ、非接触受電部１１４ａ、および非接触送電部１１５ａを設けたこと、および、新たに代表端末決定部１１７を設けたことである。その他の構成は、第一実施の形態に係る携帯端末１と同様であるため、それらについての詳細な説明は省略する。
【００９８】
送電可否問合せ応答部１０７ａは、近距離無線インターフェース部１０２を介して他の携帯端末１Ａから送電可否問合せを受信した場合に、予約元端末記憶部１１１に予約元端末１Ａの情報が登録されていないならば、電池残量計測部１０４により計測された電池残量が所定電力量Ｂ２以上であるか否かを調べる。そして、電池残量が所定電力量Ｂ２以上であるならば、代表端末決定部１１７に対して、自携帯端末１Ａが代表端末１Ａであるか、それとも代行依頼端末１Ａであるかを問い合わせる。
【００９９】
そして、自携帯端末１Ａが代行依頼端末１Ａであるならば、送電可否問合せ応答部１０７ａは、代表端末１Ａのアドレス情報を代表端末決定部１１７から入手して、自携帯端末１Ａのユーザ情報および送電可能電力量（電池残量から所定電力量Ｂ２を差し引いた電力量）の指定を伴う送電可能通知を、近距離無線インターフェース部１０２を介して代表端末１Ａに送信する。
【０１００】
一方、自携帯端末１Ａが代表端末１Ａであるならば、送電可否問合せ応答部１０７ａは、所定時間Ｔ４が経過するまで、代行依頼端末１Ａからの送電可能通知が届くのを待つ。そして、各代行依頼端末１Ａの送電可能電力量と自携帯端末１Ａの送電可能電力量１Ａとの合計値を算出し、自携帯端末１Ａのユーザ情報およびこの合計値（送電可能電力量の統合値）の指定を伴う送電可能通知を、近距離無線インターフェース部１０２を介して送電可否問合せの送信元に送信する。
【０１０１】
送電予約受付部１１０ａは、近距離無線インターフェース部１０２を介して他の携帯端末１Ａから送電予約要求を受信した場合に、予約元端末記憶部１１１に、この送電予約要求の送信元（予約元端末１Ａ）の情報を記憶するとともに、代表端末決定部１１７に対して、自携帯端末１Ａが代表端末１Ａであるか、それとも代行依頼端末１Ａであるかを問い合わせる。そして、自携帯端末１Ａが代表端末１Ａであるならば、送電可否問合せ応答部１０７ａが受信した送電可能通知の送信元（代行依頼端末１Ａ）の情報を、送電可能端末１Ａの情報として、送電可能端末記憶部１０６に記憶する。
【０１０２】
送電予約部１０８ａは、送電可能端末記憶部１０６を参照し、送電可能端末１Ａのなかから電力予約先を決定する。具体的には、フィールド１０６３に登録されている送電可能電力量の大きい順にレコード１０６０を選択しながら、電池残量計測部１０４により計測された電池残量に送電可能電力量の合計値を加算してゆき、その加算値が所定電力量Ｂ３以上となったら、もしくは送電可能端末記憶部１０６内のレコード１０６０がすべて選択されたら、それまでに選択したレコード１０６０により特定される送電可能端末１Ａを電力予約先に決定する。ただし、自携帯端末１Ａが代表端末１Ａに設定されている場合は、送電可能端末記憶部１０６に記憶されているすべてのレコード１０６０により特定される送電可能端末１Ａを電力予約先に決定する。そして、電力予約先に決定された各送電可能端末１Ａに、自携帯端末１Ａのユーザ情報の指定を伴う送電予約要求を、近距離無線インターフェース部１０２を介して送信する。
【０１０３】
送電要求部１１２ａは、予約先端末記憶部１０９を参照し、予約順位に従って未選択の予約先端末１Ａを一つ選択し、近距離無線インターフェース部１０２を介して、選択した予約先端末１Ａに、使用中でないチャネルの指定を伴う送電要求を送信するとともに、充電制御部１１６に指定チャネルを用いた予約先端末１Ａからの受電を指示する。また、この予約先端末１Ａから電力を非接触で受電できるように、マンマシンインターフェース部１０１を介して、この予約先端末１Ａのユーザ情報等を操作者に知らせてこの予約先端末１Ａに近づくなどの所定の準備を促すガイダンスを出力する。送電要求部１１２は、以上の処理を、予約先端末記憶部１０９に記憶されている予約先端末１Ａがすべて選択されるまで、あるいは電池残量計測部１０４で計測される電池残量が所定電力量Ｂ３以上に回復するまで繰り返す。
【０１０４】
送電要求受付部１１３ａは、近距離無線インターフェース部１０２を介して他の携帯端末１から送電要求を受信した場合に、この送電要求で指定されているチャネルを用いたこの送電要求の送信元への送電を充電制御部１１６に指示する。
【０１０５】
非接触受電部１１４ａは、複数のチャネルに対応しており、充電制御部１１６より通知されたチャネルを用いて他の携帯端末１Ａから電力を非接触で受電する。
【０１０６】
非接触送電部１１５ａも、非接触受電部１１４ａと同様、複数のチャネルに対応しており、充電制御部１１６より通知されたチャネルを用いて他の携帯端末１Ａへ二次電池１０３の電力を非接触で送電する。
【０１０７】
代表端末決定部１１７は、送電可否問合せ応答部１０７ａからの自携帯端末１Ａが代表端末１Ａであるか、それとも代行依頼端末１Ａであるかの問合せをトリガとして、図示していない乱数タイマを起動し、乱数に基づいて待ち時間を設定して、この待ち時間の経過により乱数タイマがタイムアウトするのを待つ。そして、タイムアウトする前に、他の携帯端末１Ａから代表宣言を受信したならば、この代表宣言の送信元を代表端末１Ａと認識し、自携帯端末１Ａの代行依頼端末１Ａに設定する。一方、他の携帯端末１Ａから代表宣言を受信することなくタイムアウトしたならば、自携帯端末１Ａを代表端末１Ａに設定し、近距離無線インターフェース部１０２から代表宣言をブロードキャスト送信する。
【０１０８】
図１０は、携帯端末１Ａの送電動作を説明するためのフロー図である。
【０１０９】
このフローは、送電可否問合せ応答部１０７ａが近距離無線インターフェース部１０２を介して他の携帯端末１Ａから送電可否問合せを受信することにより開始される。
【０１１０】
なお、本実施の形態に係る携帯端末１Ａの受電動作は、図５に示す第一実施の形態に係る携帯端末１の受電動作と同様であるので、その説明を省略している。
【０１１１】
まず、送電可否問合せ応答部１０７ａは、予約元端末記憶部１１１を参照し、予約元端末１Ａの情報が既に登録されているか否かを判断する（Ｓ４００）。予約元端末１Ａの情報が既に登録されているならば（Ｓ４００でＹＥＳ）、送電可否問合せに応答することなくこのフローを終了する。
【０１１２】
一方、予約元端末１Ａの情報が登録されていない場合（Ｓ４００でＮＯ）、送電可否問合せ応答部１０７ａは、電池残量計測部１０４により計測された電池残量が所定電力量Ｂ２以上であるか否かをさらに調べる（Ｓ４０１）。そして、電池残量が所定電力量Ｂ２以上でないならば（Ｓ４０１でＮＯ）、送電可否問合せに応答することなくこのフローを終了する。一方、電池残量が所定電力量Ｂ２以上である場合（Ｓ４０１でＹＥＳ）、送電可否問合せ応答部１０７ａは、代表端末決定部１１７に対して、自携帯端末１Ａが代表端末１Ａであるか、それとも代行依頼端末１Ａであるかを問い合わせる。
【０１１３】
これを受けて、代表端末決定部１１７は、乱数タイマを起動し（Ｓ４０２）、乱数に基づいて待ち時間を設定して、この待ち時間の経過により乱数タイマがタイムアウトするのを待つ（Ｓ４０４）。そして、タイムアウトする前に（Ｓ４０４でＮＯ）、他の携帯端末１Ａからの代表宣言を受信したならば（Ｓ４０３でＹＥＳ）、代表端末決定部１１７は、この代表宣言の送信元のアドレス情報により特定される携帯端末１を代表端末１Ａと認識し、自携帯端末１Ａの代行依頼端末１Ａに設定する（Ｓ４０５）。その後、携帯端末１Ａは、後述の代行依頼端末処理を実施する（Ｓ４０６）。
【０１１４】
一方、他の携帯端末１Ａから代表宣言を受信することなく（Ｓ４０３でＮＯ）、タイムアウトしたならば（Ｓ４０４でＹＥＳ）、代表端末決定部１１７は、自携帯端末１Ａを代表端末１Ａに設定し（Ｓ４０７）、近距離無線インターフェース部１０２から代表宣言をブロードキャスト送信する（Ｓ４０８）。その後、携帯端末１Ａは、後述の代表端末処理を実施する（Ｓ４０９）。
【０１１５】
図１１は、携帯端末１Ａの代行依頼端末処理（図１０のＳ４０６）を説明するためのフロー図である。
【０１１６】
送電可否問合せ応答部１０７ａは、電池残量計測部１０４により計測された電池残量から所定電力量Ｂ２を差し引いた値を送電可能電力量として算出する（Ｓ４２０）。それから、送電可否問合せ応答部１０７ａは、代表端末決定部１１７から代表端末１Ａのアドレス情報を取得する。そして、近距離無線インターフェース部１０２を介して、この代表端末１Ａに、自携帯端末１のユーザ情報および送電可能電力量の指定を伴う送電可能通知を送信する（Ｓ４２１）。
【０１１７】
つぎに、送電予約受付部１１０ａは、送電可能通知の送信後、所定時間Ｔ３（例えば１分）内に送電予約要求を受信しなければ（Ｓ４２２でＮＯ）、このフローを終了する。一方、送電可能通知の送信後、所定時間Ｔ３内に送電予約要求を受信したならば（Ｓ４２２でＹＥＳ）、送電予約要求の送信元である代表端末１Ａのアドレス情報およびこの送電予約要求で指定されているユーザ情報を含む情報を、予約元端末１Ａの情報として予約元端末記憶部１１１に登録する（Ｓ４２３）。
【０１１８】
つぎに、送電要求受付部１１３ａは、近距離無線インターフェース部１０２を介して、予約元端末１Ａである代表端末１Ａから送電要求を受信することなく（Ｓ４２４でＮＯ）、所定時間Ｔ２の経過によりタイムアウトしたならば（Ｓ４２５でＹＥＳ）、予約元端末記憶部１１１をリセットして登録内容を消去し（Ｓ４２６）、このフローを終了する。
【０１１９】
一方、送電要求受付部１１３ａは、所定時間Ｔ２の経過によりタイムアウトする前に（Ｓ４２５でＮＯ）、近距離無線インターフェース部１０２を介して、予約元端末１Ａである代表端末１Ａから、チャネルの指定を伴う送電要求を受信したならば（Ｓ４２４でＹＥＳ）、予約元端末１Ａへの送電を充電制御部１１６に指示するとともに、予約元端末記憶部１１１に記憶されている予約元端末１Ａのユーザ情報等を操作者に知らせ、自携帯端末１Ａを予約元端末１Ａである代表端末１Ａに近づかせるなど、代表端末１Ａへ電力を非接触で送電するための所定の準備を促すガイダンスをマンマシンインターフェース部１０１から出力する（Ｓ４２７）。
【０１２０】
つぎに、充電制御部１１６は、非接触送電部１１５を有効にして、自携帯端末１Ａが送電要求の送信元である代表端末１Ａの非接触電力伝送範囲内にいることを含む所定の送電開始条件を満足するのを待つ（Ｓ４２８）。そして、送電開始条件を満足したならば（Ｓ４２８でＹＥＳ）、送電要求で指定されているチャネルを用いて、二次電池１０３に蓄えられている電力を、非接触送電部１１５を介して、代表端末１Ａへ非接触で送電する（Ｓ４２９）。
【０１２１】
さて、充電制御部１１６は、電池残量計測部１０４で計測される電池残量が所定電力量Ｂ２にまで低下したことを検知すると（Ｓ４３０でＮＯ）、非接触送電部１１５を無効にして、非接触による送電を終了して、送電要求受付部１１３ａに送電終了を通知する（Ｓ４３１）。これを受けて、送電要求受付部１１３ａは、近距離無線インターフェース部１０２を介して代表端末１Ａに送電終了通知を送信するとともに（Ｓ４３２）、予約元端末記憶部１１１をリセットして登録内容を消去する（Ｓ４３５）。
【０１２２】
また、送電要求受付部１１３ａは、電池残量計測部１０４で計測される電池残量が所定電力量Ｂ２に低下する前（Ｓ４３０でＹＥＳ）に、近距離無線インターフェース部１０２を介して代表端末１Ａから受電終了通知を受信すると（Ｓ４３２でＹＥＳ）、その旨を充電制御部１１６に通知する。これを受けて、充電制御部１１６は、非接触送電部１１５を無効にして、非接触による送電を終了する（Ｓ４３４）。そして、送電要求受付部１１３ａは、予約元端末記憶部１１１をリセットして登録内容を消去する（Ｓ４３５）。
【０１２３】
図１２は、携帯端末１Ａの代表端末処理（図１０のＳ４０９）を説明するためのフロー図である。
【０１２４】
送電可否問合せ応答部１０７ａは、電池残量計測部１０４により計測された電池残量から所定電力量Ｂ２を差し引いた値を送電可能電力量として算出する（Ｓ４４０）。また、送電可否問合せ応答部１０７ａは、所定時間Ｔ４を経過するまでの間、近距離無線インターフェース部１０２を介して、代行依頼端末１Ａから送電可能通知を受信する（Ｓ４４１）。それから、送電可否問合せ応答部１０７ａは、各代行依頼端末１Ａの送電可能通知で指定されている送電可能電力量と自携帯端末１Ａの送電可能電力量との合計値を算出し（Ｓ４４２）、自携帯端末１Ａのユーザ情報およびこの合計値（送電可能電力量の統合値）の指定を伴う送電可能通知を、近距離無線インターフェース部１０２を介して送電可否問合せの送信元に送信する（Ｓ４４３）。
【０１２５】
つぎに、送電予約受付部１１０ａは、送電可能通知の送信後、所定時間Ｔ３（例えば１分）内に送電予約要求を受信したならば（Ｓ４４４でＹＥＳ）、送電予約要求の送信元のアドレス情報およびこの送電予約要求で指定されているユーザ情報を含む情報を、予約元端末１Ａの情報として予約元端末記憶部１１１に登録するとともに（Ｓ４４５）、代表端末１Ａである自携帯端末１Ａに送電可能通知を送信した代行依頼端末１Ａのアドレス情報、ユーザ情報および送電可能電力量を、送電可否問合せ応答部１０７ａから取得し、送電可能端末１Ａの情報として送電可能端末記憶部１０６に記憶する。
【０１２６】
これを受けて、送電予約部１０８ａは、予約先端末記憶部１０９をリセットして登録内容を消去するとともに、送電可能端末記憶部１０６を参照し、送電可能端末１Ａのなかから電力予約先を決定する。具体的には、フィールド１０６３に登録されている送電可能電力量の大きい順にレコード１０６０をすべて選択し、各レコード１０６０により特定される代行依頼端末１Ａを電力予約先、つまり予約先端末１Ａに決定する。そして、選択した各レコード１０６０ごとに、予約先端末記憶部１０９に新たなレコード１０９０を追加し、このレコード１０９０のフィールド１０９１〜１０９３に、レコード１０６０のフィールド１０６１、１０６２のアドレス情報、ユーザ情報および、レコード１０６０のフィールド１０６３の送電可能電力量の大きい順に割り当てた予約順位を登録する（Ｓ４４６）。
【０１２７】
それから、送電予約部１０８ａは、予約先端末記憶部１０９を参照し、各レコード１０９０のフィールド１０９１に登録されているアドレス情報により予約先端末１Ａとして特定される各代行依頼端末１Ａに、代表端末１Ａである自携帯端末１Ａのユーザ情報の指定を伴う送電予約要求を、近距離無線インターフェース部１０２を介して送信する（Ｓ４４７）。
【０１２８】
つぎに、送電要求受付部１１３ａは、所定時間Ｔ２内に、近距離無線インターフェース部１０２を介して予約元端末１Ａから送電要求を受信しなかった場合（Ｓ４４８でＮＯ）、予約元端末記憶部１１１をリセットして登録内容を消去し（Ｓ４６６）、このフローを終了する。
【０１２９】
一方、送電要求受付部１１３ａは、所定時間Ｔ２内に、近距離無線インターフェース部１０２を介して予約元端末１Ａから、チャネルの指定を伴う送電要求を受信した場合（Ｓ４４８でＹＥＳ）、予約元端末記憶部１１１に記憶されている予約元端末１Ａのユーザ情報等を操作者に知らせ、自携帯端末１Ａを予約元端末１Ａに近づかせるなど、この予約元端末１Ａへ電力を非接触で送電するための所定の準備を促すガイダンスをマンマシンインターフェース部１０１から出力する（Ｓ４４９）。
【０１３０】
つぎに、充電制御部１１６は、非接触送電部１１５ａを有効にして、代表端末１Ａである自携帯端末１Ａが、送電要求の送信元である予約元端末１Ａの非接触電力伝送範囲内にいることを含む所定の送電開始条件を満足するのを待つ（Ｓ４５０）。そして、送電開始条件を満足したならば（Ｓ４５０でＹＥＳ）、送電要求で指定されているチャネルを用いて、二次電池１０３に蓄えられている電力を、非接触送電部１１５を介して予約元端末１Ａへ非接触で送電する（Ｓ４５１）。
【０１３１】
つぎに、送電要求部１１２ａは、予約先端末記憶部１０９を参照し、予約順位に従って未選択の予約先端末（代行依頼端末）１Ａを一つ選択する（Ｓ４５２）。それから、近距離無線インターフェース部１０２を介して、選択した代行依頼端末１Ａに、送電に使用中のチャネル以外のチャネルの指定を伴う送電要求を送信するとともに、充電制御部１１６に、この代行依頼端末１Ａからの指定チャネルを用いた受電を指示する（Ｓ４５３）。
【０１３２】
これを受けて、充電制御部１１６は、非接触受電部１１４ａを有効にして、自携帯端末１Ａが、送電要求の送信先である代行依頼端末１Ａの非接触電力伝送範囲内にいることを含む所定の受電開始条件を満足するのを待つ（Ｓ４５４）。そして、受電開始条件を満足したならば（Ｓ４５４でＹＥＳ）、指定のチャネルを用いて、送電要求の送信先の代行依頼端末１Ａから電力を非接触で受電して、二次電池１０３の充電を開始する（Ｓ４５５）。
【０１３３】
その後、携帯端末１Ａでは、近距離無線インターフェース部１０２における、予約元端末１Ａからの受電終了通知の受信、および、送電要求の送信先である代行依頼端末１Ａからの送電終了通知の受信が監視される（Ｓ４５６、Ｓ４５９）。
【０１３４】
送電要求部１１２ａは、近距離無線インターフェース部１０２を介して送電要求の送信先である代行依頼端末１Ａから送電終了通知を受信すると（Ｓ４５６でＹＥＳ）、その旨を充電制御部１１６に通知する。これを受けて、充電制御部１１６は、送電要求の送信先である代行依頼端末１Ａからの受電を終了する。また、送電要求部１１２ａは、予約先端末記憶部１０９を参照し、未選択の予約先端末（代行依頼端末）１Ａが存在するか否かを判断する（Ｓ４５７）。未選択の予約先端末１Ａが存在するならば（Ｓ４５７でＹＥＳ）、Ｓ４５２に戻る。一方、未選択の予約先端末１Ａが存在しないならば（Ｓ４５７でＮＯ）、その旨を充電制御部１１６に通知する。これを受けて、充電制御部１１６は、非接触受電部１１４ａを無効にして、二次電池１０３の充電を終了する（Ｓ４５８）。
【０１３５】
その後、充電制御部１１６が、電池残量計測部１０４で計測される電池残量が所定電力量Ｂ２にまで低下したことを検知するか、または、送電要求受付部１１３ａが、近距離無線インターフェース部１０２を介して予約元端末１Ａから受電終了通知を受信して、その旨を充電制御部１１６に通知すると（Ｓ４６３でＹＥＳ）、充電制御部１１６は、非接触送電部１１５ａを無効にして、非接触による送電を終了し、送電要求受付部１１３ａに送電終了を通知する（Ｓ４６４）。これを受けて、送電要求受付部１１３ａは、近距離無線インターフェース部１０２を介して予約元端末１Ａに送電終了通知を送信する（Ｓ４６５）。ただし、Ｓ４６３において、予約元端末１Ａから受電終了通知を受信している場合は、Ｓ４６５をスキップし、予約元端末１Ａに送電終了通知を送信しない。また、送電要求受付部１１３ａは、予約元端末記憶部１１１をリセットして、登録内容を消去する（Ｓ４６６）。
【０１３６】
送電要求受付部１１３ａは、近距離無線インターフェース部１０２を介して予約元端末１Ａから受電終了通知を受信すると（Ｓ４５９でＹＥＳ）、その旨を充電制御部１１６に通知する。これを受けて、充電制御部１１６、非接触送電部１１５ａを無効にして、非接触による送電を終了するとともに（Ｓ４６０）、非接触受電部１１４ａを無効にして、二次電池１０３の充電を終了し、送電要求部１１２ａに充電終了を通知する（Ｓ４６１）。これを受けて、送電要求部１１２ａは、近距離無線インターフェース部１０２を介して、送電要求の送信先の代行依頼端末１Ａに受電終了通知を送信する（Ｓ４６２）。それから、送電要求受付部１１３ａは、予約元端末記憶部１１１をリセットして、登録内容を消去する（Ｓ４６６）。
【０１３７】
以上、本発明の第二実施の形態を説明した。
【０１３８】
本実施の形態は、上記第一実施の形態の効果に加え、以下の効果を有する。すなわち、送電可能通知を返信した複数の携帯端末１Ａのなかから代表端末１Ａが選ばれ、電可否問合せの送信元は、電力を受電するための通信を代表端末１Ａとのみ行う。このため、上記第一実施の形態に比べ、送電可否問合せの送信元が電力の受電開始までに行うメッセージのやり取り回数およびデータ量を減らすことができるので、送電可否問合せの送信元が電力の受電開始前に電池切れを起こす可能性を低減でき、これにより、送電可否問合せの送信元の二次電池１０３をより確実に充電することが可能となる。
【０１３９】
また、代表端末１Ａを介して、送電可能通知を返信した他の携帯端末１Ａである代行依頼端末１Ａおよび送電可否問合せの送信元間の非接触電力伝送が行われるので、上記第一実施の形態に比べ、代行依頼端末１Ａが送電可否問合せの送信元から離れた位置にある場合でも、送電可否問合せの送信元は、代行依頼端末１Ａの電力を受電できる。
【０１４０】
なお、本発明は上記の各実施の形態に限定されるものではなく、その要旨の範囲内で数々の変形が可能である。
【０１４１】
例えば、上記第一の実施の形態においては、携帯端末１の電池残量に送電可能端末１の送電可能電力量を大きい順に順次加算してゆき、すべての送電可能端末１の送電可能電力量が加算される前に加算値が所定電力量Ｂ３以上となれば、送電可能電力量を加算した送電可能端末１を予約先端末１に決定し、すべての送電可能端末１の送電可能電力量が加算されても加算値が所定電力量Ｂ３とならなければ、すべての送電可能端末１を予約先端末１に決定しているが、必ずしも、このようにする必要はない。例えば、予約先端末記憶部１０９に登録可能なレコード１０６０の数に制限を設けることによって、送電可能電力量がわずかしかない多くの予約先端末１に対して送電要求を送信し続けることを防止するようにしてもよい。
【０１４２】
上記各実施の形態においては、電力に余裕がなくなった携帯端末１が、近距離無線通信により、送電可能電力量がより大きい携帯端末１を近距離圏内で探し、この携帯端末１から電力を非接触で融通してもらう場合を例に挙げたが、近距離無線通信により、送電可能電力量がより大きい携帯端末１を近距離圏内で探し、この携帯端末１から電力を有線で融通してもらうようにしてもよい。
【０１４３】
また、電力に余裕がなくなった携帯端末１への電力供給元は、必ずしも携帯端末１等の携帯可能な装置である必要はない。例えば、近距離無線通信機能を有するチャージステーションを含めてよい。この場合、電力に余裕がなくなった携帯端末１の近傍にチャージステーションが存在していれば、電力に余裕がなくなった携帯端末１は、チャージステーションにユーザを誘導するメッセージを優先的に表示するようにしてもよい。
【０１４４】
また、上記の各実施の形態において、図２、図９に示す携帯端末１−１Ａの機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【０１４５】
また、本発明は、携帯電話機、ＰＤＡ（Ｐｅｒｓｏｎａｌ  Ｄｉｇｉｔａｌ  Ａｓｓｉｓｔａｎｔ）、スマートホン、ノートＰＣ、ネットブック、オーディオ機器等、様々な携帯可能な情報端末に広く適用可能である。
【符号の説明】
【０１４６】
１、１−１〜１−４、１Ａ、１Ａ−１〜１Ａ−４：携帯端末、  １００：携帯電話機能部、  １０１：マンマシンインターフェース部、  １０２：近距離無線インターフェース部、  １０３：二次電池、  １０４：電池残量計測部、  １０５：送電可否問合せ部、  １０６：送電可能端末記憶部、  １０７、１０７ａ：送電可否問合せ応答部、  １０８、１０８ａ：送電予約部、  １０９：予約先端末記憶部、  １１０、１１０ａ：送電予約受付部、  １１１：予約元端末記憶部、  １１２、１１２ａ：送電要求部、  １１３、１１３ａ：送電要求受付部、  １１４、１１４ａ：非接触受電部、  １１５、１１５ａ：非接触送電部、  １１６：充電制御部、  １１７：代表端末決定部
【図１】
2013226022.tif 000003
【図２】
2013226022.tif 000004
【図３】
2013226022.tif 000005
【図４】
2013226022.tif 000006
【図５】
2013226022.tif 000007
【図６】
2013226022.tif 000008
【図７】
2013226022.tif 000009
【図８】
2013226022.tif 000010
【図９】
2013226022.tif 000011
【図１０】
2013226022.tif 000012
【図１１】
2013226022.tif 000013
【図１２】
2013226022.tif 000014